(57)【要約】【課題】  テレビジョンモニターが使用時位置内に単に且つ有効に移動可能にする車両シートバックを提供すること。【解決手段】  テレビジョンモニター（４）が前記セットバック（３５）に受容されて、前記テレビジョンモニター（４）の視野スクリーン（４１）がシートバックの後面（３４）に面して配置される第１の折り畳まれて離れた位置と、視野スクリーン（４１）がシートバックの後面（３４）に面して配置されて使用者に面するように構成した第２の使用時位置との間で１８０°より小さい角度範囲に亘ってシートバック（３）に対して固定される軸線（Ｘ）周りに回動するように取り付けた前記テレビジョンモニター（４）を装備する車両シートバックが提供される。【選択図】  図１
2004352239.tif 000002
【特許請求の範囲】
【請求項１】
前面（３３）と、視野スクリーン（４１）を具備するテレビジョンモニター（４）を受容するためのセットバック（３５）を設けた後面（３４）と、を有する車両シートバックであって、前記後面（３４）には、閉位置と展開位置との間で回動するように取り付けたテーブル（５）を更に設けた車両シートバックにおいて、
前記シートバックは、前記テレビジョンモニター（４）が前記セットバック（３５）に受容されて、前記視野スクリーン（４１）が前記シートバックの後面（３４）に面して配置される第１の折り畳まれて離れた位置と、前記視野スクリーン（４１）が前記シートバックの後面（３４）に面して位置する使用者に面するように構成した第２の使用時位置との間で１８０°より小さい角度範囲に亘って前記シートバック（３）に対して固定される軸線（Ｘ）周りに回動するように取り付けられることを特徴とするシートバック。
【請求項２】
前記テーブル（５）が前記閉位置と前記展開位置との間で回動する前記角度範囲は、１８０°より小さい、請求項１に記載のシートバック。
【請求項３】
前記テーブル（５）を前記閉位置に対する所定角度位置に保持可能に構成した角度割出し装置を装備している、請求項２に記載のシートバック。
【請求項４】
前記閉位置に対する前記テーブル（５）の所定角度位置は、１５°、９０°、１３５°及び１８０°に実質的に等しい、請求項３に記載のシートバック。
【請求項５】
前記テレビジョンモニター（４）は、前記シートバック（３）の後面（３４）に設けた前記セットバック（３５）に固定された態様で取り付けたモジュール（３６）に回動可能に直に取り付けられ、前記モジュール（３６）には、前記テレビジョンモニター（４）が折り畳まれて離れた前記位置にある時に該テレビジョンモニターを受容する働きをする凹所（３６ｂ）を形成した、請求項１から請求項４までのいずれか１項に記載のシートバック。
【請求項６】
前記モジュール（３６）は、前記シートバック（３）の後面（３４）に面する領域を撮影するように構成したカメラ（８）も装備しており、前記カメラ（８）は、前記モニターが折り畳まれて離れた前記位置にある時に視野が前記テレビジョンモニター（４）によって妨害されず、前記モニターが前記使用時位置にある時に該モニターによって妨害されないように配置されている、請求項５に記載のシートバック。
【請求項７】
前記モジュール（３６）は前記シートバック（３）の後面（３４）に面する領域を照明するための照明装置（９）を装備している、請求項５または請求項６に記載のシートバック。
【請求項８】
前記テーブル（５）は前記モジュール（３６）の底部に回動可能に取り付けられる、請求項５から請求項７までのいずれか１項に記載のシートバック。
【請求項９】
前記シートバック（３）は底部端（３１）と頂部端（３２）との間に延在し、また、前記使用時位置では、前記テレビジョンモニター（４）は前記シートバック（３）の頂部端（３２）を越えて延在する、請求項１から請求項８までのいずれか１項に記載のシートバック。
【請求項１０】
請求項１から請求項９までのいずれか１項に記載のシートバック（３）を回動可能に受容するシート本体（２）を備える自動車シート。
【発明の詳細な説明】
【技術分野】
【０００１】
本発明は、テレビジョンモニターを装備した車両シートバック、及びこうしたシートバックを含む車両シートに関する。
【背景技術】
【０００２】
より詳細には、本発明は、前面と、視野スクリーンを具備するテレビジョンモニターを受容するためのセットバックを設けた後面とを具備する車両シートバックに関する。前記後面は閉位置と展開位置との間で回動するように取り付けたテーブルを装備している。
【０００３】
こうしたテレビジョンモニターを装備したシートバックは、従来技術文献に記載されている。シートバックは、折り畳まれて離れた位置と、視野スクリーンが、車両のシートの第２列の前記シートバックの後部に座る乗員に面して配置される使用時位置との間でテレビジョンモニターを移動させるための複雑な機構を装備している。乗員がテレビジョンモニターのスクリーンを見りことを所望する時、前記乗員は、第１に、展開位置内にテーブルを持って来て、次に、シートバックに対して回動するように取り付けかつテレビジョンモニターが回動するように取り付けたレールを備える移動機構によって、シートバックのセットバックからテレビジョンモニターを引き出す。変位機構は、このように、テレビジョンモニターをその使用時位置に持って来るために２つの異なる軸線周りで回動することを必要とする。これはシートバックに設けたセットバックからのテレビジョンモニターの引き出しを複雑にする。さらにまた、変位機構が比較的大容積なため、前記モニターが折り畳まれて離れた位置にある場合、変位機構及びテレビジョンモニターの両方を受容し得るようにセットバックを過大に寸法づけることが必要である（例えば、特許文献１参照）。
【特許文献１】特開平１１−１５１９８６号広報
【発明の開示】
【発明が解決しようとする課題】
【０００４】
本発明の特別の目的は、テレビジョンモニターが使用時位置内に単に且つ有効に移動可能にする車両シートバックを提案することによってこれらの欠点を軽減することである。
【課題を解決するための手段】
【０００５】
このために、本発明によれば、当該タイプの車両シートバックは、テレビジョンモニターがセットバックに受容されて、視野スクリーンが前記シートバックの後面に面して配置される第１に折り畳まれて離れた位置と、視野スクリーンがシートバックの前記後面に面して配置される第２の使用時位置との間で１８０°より小さい角度範囲に亘ってシートバックに対して固定される軸線周りに回動するように取り付けられることを特徴とする。  
【０００６】
本発明の好ましい実施形態では、以下の装備の１つ以上を使用することは随意に可能である：
−テーブルがその閉位置とその展開位置との間で回動する角度範囲は少なくとも１８０°である；
−シートバックは、テーブルが、その閉位置に対して所定角度位置に保持可能にするように構成した角度割出し手段を装備している；
−自身の閉位置に対するテーブルの所定角度位置は、１５°、９０°、１３５°及び１８０°に実質的に等しい；
−テレビジョンモニターは、シートバックの後面に設けたセットバックに固定された態様で取り付けたモジュールに回動可能に直に取り付けられる。モジュールには、テレビジョンモニターが折り畳まれて離れた位置にある時に該テレビジョンモニターを受容する働きをする凹所が形成される；
−モジュールは、シートバックの後面に面する領域を撮影するように構成したカメラを装備している。前記カメラは、前記モニターがその折り畳まれて離れた位置にある時に視野が妨害されず、その使用時位置にある時にモニターによって妨害されないように配置される；
−モジュールは、シートバックの後面に面する領域を照明するための照明装置を装備している；
−テーブルは、モジュールの底部部分に回動可能に取り付けられる；及び、
−前記シートバックは底部端と頂部端との間に延在し、またその使用時位置では、テレビジョンモニターはシートバックの頂部端を越えて延在する。
【０００７】
さらに、本発明は、さらに上に定義されるようなシートバックを回動可能に受容するシート本体を備える自動車シートも提供する。
【０００８】
他の特徴及び本発明の利点は、非限定的な実例によって与えられる本発明の実施形態に関する以下の説明を読み、及び添付図面を参照すれば明らかとなる。
【０００９】
種々の図面では、類似する参照符号は等価又は類似する部材を示す。
【発明を実施するための最良の形態】
【００１０】
図１は、自動車の前部シート１を示し、このシートは、前部端２１と後部端２２との間に延在するシ−ト本体２と、このシート本体２の後部端２２で回動するように取り付けたシートバック３と、を備える。シートバック３は、底部端３１と頂部端３２との間で実質的に鉛直に延在する。
【００１１】
シートバック３は、シート本体２と協働して前部シートの乗員を受け入れる空間を画成する前面３３と、テレビジョンモニター４及び回動可能に取り付けたテーブル５を受容する頂部部分を備える後面３４と、を備える。
【００１２】
図１〜図４に示す実施形態では、後面３４の頂部部分は、シートバック３の頂部端３２まで延在する端部壁３５ａ、底部端縁３５ｂ及び２つの側部端縁３５ｃによって画定されるセットバック３５を具備する。セットバック３５はテレビジョンモニター４及びテーブル５が回動可能に直に取り付けられるモジュール３６を受容するように構成される。例えば、プラスチック材料で作り得るモジュール３６は、シートバック３の後面３４の頂部部分に形成したセットバック３５の形状に相補的な外部形状を有する。モジュール３６は、シートバック３のセットバック３５の端部壁３５ａに形成した切込み内に、例えば、クリップ留めするように働くキャッチ部材により構成し得る（図示しない）固定部材によって例えばセットバック３５に固定される。
【００１３】
テーブル５は、モジュール３６の底部部分に回動可能に直に取り付けられる。テーブル５は、特に、図２に示すような閉位置と、使用者をテレビジョンモニター４にアクセス可能にする展開位置との間で回動するように取り付け得る。その展開した位置では、図１、図３及び図４に示すように、テーブル５はモジュール３６に対して約９０°の角度を成し得る。しかしながら、テーブル５は、また、後部ベンチシートの使用者のための読書きのための支持部として働くようにモジュール３６に対して１３５°の角度を成すこの位置を越えて回動し得るか、あるいは前記テーブルがシートバック３の後面３４に実質的に平行に配置されるような１８０°の角度を成すこの位置を越えて回動し得る。さらに、テーブル５は、その自由端が衣服を掛けるコートフックを構成可能にするように、その閉位置に対して約１５°の角度だけ回動させることもできる。有利なことに、テーブル５は、特に前記テーブル５がその閉位置に対して、例えば、１５°、９０°、１３５°、又は１８０°の所定角度位置を取ることを可能にする角度割出し手段を具備するモジュール３６に回動可能に取り付け得る。
【００１４】
テレビジョンモニター４は、図１及び図３に示すような折り畳まれて離れた位置と、図４に示すような使用時位置と、の間で回動するように取り付けられる。テレビジョンモニターは、モニターの後面と、視野スクリーン４１を含む視野面４ｂとを構成する連続面４ａを具備する。
【００１５】
より正確には、テレビジョンモニター４は、２つの支持アーム６によってモジュール３６に回動可能に取り付けられる。これらのアームの各々はテレビジョンモニターに固定される第１端部と、水平でありかつモジュール３６に対して、従って、シートの後面に対して固定された軸線Ｘ（図１）の周りに回動するように取り付けた第２端部との間で延在する。アーム６の第２端部は、使用者によって選択された位置にあるテレビジョンモニターを保持するように、モジュール３６の頂部部分に直に形成された切込み３６ａに直接かつぴったりと受容される。したがって、テレビジョンモニターは、モジュール３６に直に形成した凹所３６ｂにテレビジョンモニターが収容され、この時、視野スクリーン４１は凹
所３６ｂ、従って、シートバック３の後面３４に面して配置される折り畳まれて離れた位置と、テレビジョンセットが、前記視野スクリーン４１がシートバック３の後面３４から離れて面するように配置される１８０°より小さい角度範囲だけ回動し、かくして、シートの後部に座る乗員が視野スクリーン４１を見ることができる第２の使用時位置と、の間で回動し得る。前記使用時位置では、テレビジョンモニター４は、有利なことに、シートバック３の頂部端３２を越えて延在し、これによって、使用者に十分な視野を与える。凹所３６ｂには、テレビジョンモニター４を遠隔制御するようにリモートコントロールボックスを着脱自在に受容するためのくぼみ３６ｃも設け得る。
【００１６】
テレビジョンモニター４は、前記視野スクリーン４１に静止又は動画ビデオ画像、テキスト、又はメニュー、あるいは同種のもののような情報を表示可能にする電子装置７に接続もし得る。特に、電子装置は、ビデオ及び／又はオーディオ情報を記憶するためのデジタルディスクを判読する判読器を備える。この判読器は、例えば、シ−ト１のシート本体２の下に直に配置される。
【００１７】
この場合には、それぞれの電線は、電子装置７をテレビジョンモニター４に接続することができる。これらの電線は、この時、テレビジョンモニター４をシートバック４に接続する支持アーム６を介して通過する。シートバック３の頂部端３２には、テレビジョンモニター４がモジュール３６に対して少なくとも１８０°の角度を形成するその使用時位置内に回動し得る範囲を限定するように、随意に配置されたヘッドレストも設け得る。さらに、モジュール３６は、例えば、テレビジョンモニター４を支持する２つの支持アーム間に配置されるカメラ８を装備し得る。このカメラ８は、シートバック３の後面３４に面して配置された領域の乗員を撮影するように構成されている。有利なことに、前記カメラ８は、前記モニターが、図３に示すようなその折り畳まれて離れた位置にある時、あるいはモニターが、図４に示すようなその使用時位置にある時、テレビジョンモニター４によって全く妨害されない。カメラ８は、例えば、運転者が視野スクリーン４１の使用者が何をしているかを見ることができるように、特に、自動車のダッシュボードに配置された視野スクリーンに接続し得る。
【００１８】
視野スクリーン４１が、拡大又は明るさ調節のような全ての適切な調節器によって、使用者のための鏡として働くように、カメラ８もテレビジョンモニターに接続することができる。
【００１９】
さらに、モジュール３６は、特にテーブル５が作業支援、特に読書きのための支援として使用される時に、照明装置９も装備し得る。
【００２０】
さらに、図４からも分かるように、テレビジョンモニター４がシートバック３の後面３４と実質的に面一にあるその閉位置内へとテーブル５を折り畳んで離すことができ、これにより前記テレビジョンモニター４の使用者に最適な快適性を与える。
【００２１】
さらに、図５に示すように、その前面３３がシート本体２の頂面に対して実質的に平行に配置されるように、シートバック２を前向きに折り畳むことも可能である。この時、操作者はテーブル４がモジュール３６に対して少なくとも１８０°の角度を形成するように該テーブル４を展開することができる。操作者は、この時、テレビジョンモニター４を実質的に９０°だけ回動させることによって該テレビジョンモニター４の視野スクリーン４１を見ることができるように、テレビジョンモニターをその凹所３６ｂから単に引き出すだけでよい。
【００２２】
変更実施形態（図１〜図４に図示されていない）では、テレビジョンモニター４は、この目的のために、テレビジョンモニターの形状に実質的に相補形状のセットバック３５を設けたセットバック３５の後面３４にも回動可能に直に取り付け得る。同様に、モジュール３６が省略される場合、テーブル５は、シートバック３の前記後面３４に直に取り付けることができる。
【図面の簡単な説明】
【００２３】
【図１】本発明のシートバックを装備した車両シートを部分的に断面で示す、線図的側面図である。
【図２】テーブルが閉位置にある時の図１に示す車両シートの後部斜視図である。
【図３】テーブルが展開位置にある時、及びテレビジョンモニターが折り畳まれて離れた位置にある時の車両シートの後部斜視図である。
【図４】テーブルが展開位置にありかつテレビジョンモニターが使用時位置にある時の車両シートの後部斜視図である。
【図５】シートバックが折り畳まれた前進位置にあり、テレビジョンモニターが使用時位置にあり、及びテーブルが展開位置にある時の車両シートの線図的側面図である。
【符号の説明】
【００２４】
１  前部シート
２  シート本体
３  シートバック
４  テレビジョンモニター
４ａ  連続面
５  テーブル
６  支持アーム
７  電子装置
８  カメラ
９  照明装置
２１  前部端
２２  後部端
３１  底部端
３２  頂部端
３３  前面
３４  後面
３５  セットバック
３５ａ  端部壁
３５ｂ  底部端縁
３５ｃ  側部端縁
３６  モジュール
３６ａ  切込み
３６ｂ  凹所
３６ｃ  くぼみ
４１  視野スクリーン
【図１】
2004352239.tif 000003
【図２】
2004352239.tif 000004
【図３】
2004352239.tif 000005
【図４】
2004352239.tif 000006
【図５】
2004352239.tif 000007